(57)【要約】  本発明は、液晶ディスプレイ、または広告パネルなどのあらゆるタイプのバックライト・パネルなど、すべてのタイプのバックライト・ディスプレイまたはプロジェクタ用のバックライト・デバイスの分野に位置する。本発明は、大電流を供給する必要がない、発光ダイオード（３１）を用いたバックライト・デバイスに関する。本発明によれば、バックライト・デバイスの各発光ダイオード（３１）と、動作周期の一部分でエネルギーを蓄積し、その後このエネルギーをその周期の他の部分で発光ダイオード（３１）中へ放出することができる電圧変換器とが組み合わされる。
2010504621.tif 000002
【特許請求の範囲】
【請求項１】
例えばディスプレイをバックライティングするための複数の発光ダイオードからなるセット（１０）であって、各要素（３０）は発光ダイオード（３１、３１’）を備え、少なくとも１つの要素には前記発光ダイオードに給電するための降圧型電圧変換器回路が装備されていることを特徴とする、複数の発光ダイオードからなるセット（１０）。
【請求項２】
前記電圧変換器回路は誘導性要素（３４、３４’）およびスイッチ（３３）を備え、前記スイッチは、前記誘導性要素が第１の動作位相中にエネルギーを蓄積してから前記エネルギーを前記第１の動作位相に連続する第２の動作位相中に前記発光ダイオード中へ放出するように制御されることを特徴とする請求項１に記載の複数の発光ダイオードからなるセット。
【請求項３】
行と列の形に構成された複数の発光ダイオード要素からなるセット（１０）であって、各要素（３０）は発光ダイオード（３１、３１’）と、前記発光ダイオードに給電するための降圧型電圧変換器が装備された少なくとも１つの要素とを含む、複数の発光ダイオード要素からなるセット（１０）と、
前記少なくとも１つの発光ダイオードの電圧変換器回路を制御するための制御回路（１１、１２）とを備えることを特徴とするディスプレイ用のバックライト・デバイス。
【請求項４】
前記電圧変換器回路は誘導性要素（３４、３４’）およびスイッチ（３３）を備え、前記スイッチは、前記誘導性要素が第１の動作位相中にエネルギーを蓄積してから前記エネルギーを前記第１の動作位相に連続する第２の動作位相中に前記発光ダイオード中へ放出するように制御されることを特徴とする請求項３に記載のデバイス。
【請求項５】
前記複数の発光ダイオード要素からなるセット（１０）の前記発光ダイオード要素は行と列の形に構成され、前記制御回路は、
前記複数の発光ダイオード要素からなるセットの要素の行を順次選択するための選択回路（１１）と、
前記選択回路（１１）によって選択された前記行の前記要素の前記第１の動作位相の時間をトリガし制御するための制御回路（１２）とを備えることを特徴とする請求項４に記載のデバイス。
【請求項６】
前記発光ダイオード要素は基本ブロックに分割され、
各基本ブロックは少なくとも１つの発光ダイオードを備え、
前記選択回路（１１）は基本ブロックの行を順次選択し、
前記制御回路（１２）は、前記選択回路によって選択された前記ブロックの前記要素の前記第１の動作位相の時間をトリガし制御する
ことを特徴とする請求項５に記載のデバイス。
【請求項７】
現在のブロックの１つの行、および次のブロックの１つの行にそれぞれ属する２つの基本ブロックの前記要素の前記第１の動作位相は重ならないことを特徴とする請求項６に記載のデバイス。
【請求項８】
各要素ごとに、前記第１の動作位相の時間（ｔa）は可変であることを特徴とする請求項７に記載のデバイス。
【請求項９】
前記第１の動作位相の前記時間（ｔa）は、ある最小時間と最大時間（Ｔ）の間に含まれることを特徴とする請求項８に記載のデバイス。
【請求項１０】
前記次の行の前記ブロックの前記第１の動作位相は、前記現在の行の前記ブロックの前記第１の動作位相の開始後で、前記最大時間（Ｔ）に等しい期間の終了時に始まることを特徴とする請求項９に記載のデバイス。
【請求項１１】
光を生成するためのバックライト・デバイスと、前記バックライト・デバイスによって生成された前記光で照射される、ビデオ・フレーム期間中に画像を表示するための画像デバイスと、を備えるディスプレイであって、前記バックライト・デバイスは、請求項３から１０のいずれか一項に記載の前記バックライト・デバイスによるものであることを特徴とするディスプレイ。
【請求項１２】
前記第１および第２の動作位相を含む前記バックライト・デバイスの前記動作期間は、前記ビデオ・フレーム期間と同期することを特徴とする請求項１１に記載のディスプレイ。
【請求項１３】
前記ビデオ・フレームの前記期間は、前記バックライト・デバイスの前記動作期間の前記時間（Ｔ）の倍数であることを特徴とする請求項１２に記載のディスプレイ。
【請求項１４】
前記バックライト・デバイスの前記動作期間の前記時間は５０μｓ未満であることを特徴とする請求項１３に記載のディスプレイ。
【発明の詳細な説明】
【技術分野】
【０００１】
本発明は、液晶ディスプレイ、または広告パネルなどのあらゆるタイプのバックライト・パネルなど、すべてのタイプのバックライト・ディスプレイまたはプロジェクタ用のバックライト・デバイスの分野に位置するものである。
【背景技術】
【０００２】
放電ランプを装備したディスプレイまたはプロジェクタは、輝度および測色（ｃｏｌｏｒｉｍｅｔｒｙ）に関し制御するのが比較的困難であることで知られている。発光ダイオードが著しく進歩したことにより、新しいタイプのバックライト・デバイスを実現することが可能になっている。すなわち、バックライト・デバイスは、アレイの形に構成された複数の発光ダイオードすなわちＬＥＤを備える。これらのダイオードは、多分複数の基本ブロックにグループ化され、したがって個別に制御されるのではなくブロックごとに制御される。これらのダイオードは、コントラスト、および表示動作の見え方を改善するために動的に制御されることが好ましい。
【０００３】
各ダイオードは、２から５ボルト程度の低い電圧で動作する。この低い制御電圧では、例えば、ダイオードで消費される電力が１００ワットでなければならず、この電源が２ボルトで動作するときに、必要な電流が５０アンペアになるので不利である。
【発明の概要】
【発明が解決しようとする課題】
【０００４】
本発明の一目的は、このような高電流を供給する必要がない新しいタイプのバックライト・デバイスを提案することである。
【課題を解決するための手段】
【０００５】
本発明によれば、各発光ダイオードと、動作周期の一部分でエネルギーを蓄積し、その周期の他の部分で、その後このエネルギーを発光ダイオード中へ放出することができる電圧変換器と、を組み合わせることが提案される。
【０００６】
本発明は、バックライティング用の複数の発光ダイオード要素からなるセットに関し、各要素は発光ダイオードを備え、少なくとも１つの要素には発光ダイオードに給電するための降圧型電圧変換器回路（step-down voltage converter circuit）が装備される。
【０００７】
１つの特定の実施形態によれば、この電圧変換器回路（voltage converter circuit）は誘導性要素およびスイッチを備え、このスイッチは、誘導性要素が第１の動作位相（operating phase）中にエネルギーを蓄積し、第１の動作位相に連続する第２の動作位相中に、このエネルギーを発光ダイオード中へ放出するように制御される。
【０００８】
本発明はまた、
・行（rows）と列（columns）の形に構成された、複数の発光ダイオード要素からなるセットであって、各要素は発光ダイオードと、前記発光ダイオードに給電するための降圧型電圧変換器が装備された少なくとも１つの要素とを含む、複数の発光ダイオード要素からなるセットと、
・前記１つの発光ダイオードの電圧変換器回路を制御するための制御回路と
を備える、例えば液晶ディスプレイなどのディスプレイ用のバックライト・デバイスにも関連する。
【０００９】
特定の一実施形態によれば、この電圧変換器回路は誘導性要素およびスイッチを備え、このスイッチは、誘導性要素が第１の動作位相中にエネルギーを蓄積し、第１の動作位相に連続する第２の動作位相中に、このエネルギーを発光ダイオード中へ放出するように制御される。
【００１０】
実際には、このセットの複数の発光ダイオード要素は、行と列の形に構成され、その制御回路は、このセットの複数の要素からなる行を順次選択するための選択回路と、前記選択回路によって選択された行の複数の要素の第１の動作位相の時間をトリガし制御するための制御回路とを備える。
【００１１】
複数の発光ダイオードは、複数の基本ブロック内に配列され、各基本ブロックは少なくとも１つの発光ダイオード要素を備え、同じブロックの複数の要素が同じように制御されることが好ましい。この場合、このデバイスの選択回路は、複数の基本ブロックからなる複数の行を順次選択し、この制御回路は、選択回路によって選択された複数のブロックの第１の動作位相の時間をトリガし制御する。
【００１２】
機能的な観点から、現在のブロックの１つの行、および次のブロックの１つの行にそれぞれ属する２つの基本ブロックの要素についての、前述の第１の動作位相は、重ならない。各要素ごとに、前述の第１の動作位相の時間は可変である。この時間は、ある最小時間と最大時間の間に含まれる。
【００１３】
次の行のブロックの第１の動作位相が、現在の行のブロックの第１の動作位相の開始後で、最大時間に等しい期間の終了時に始まるのが望ましい。
【００１４】
本発明はまた、光を生成するためのバックライト・デバイスと、バックライト・デバイスによって生成された光で照射される、ビデオ・フレーム期間中に画像を表示するための画像デバイスとを備えるディスプレイにも関する。このディスプレイのバックライト・デバイスは、上記で定義されたバックライト・デバイスによるものである。
【００１５】
バックライト・デバイスの動作期間が、ディスプレイのビデオ・フレーム期間と同期するのが望ましい。このビデオ・フレーム期間は、例えばバックライト・デバイスの動作期間の時間の倍数である。バックライト・デバイスの動作期間の時間は、その動作が人の耳に聞こえないように、５０μｓ未満（２０ｋＨｚ以上の周波数）であることが好ましい。
【００１６】
本発明は、非限定的な例として示され、添付の図面を参照する、以下の説明を読めばよりよく理解されるであろう。
【図面の簡単な説明】
【００１７】
【図１】本発明によるバックライト・デバイスを示す図である。
【図２】図１のデバイスの基本ブロック・アレイの発光ダイオード要素からなる基本ブロックの詳細図である。
【図３】図２のブロックの発光ダイオード要素の第１の例の回路図である。
【図４】図３の要素のＡＮＤ論理ゲートの第１の例の回路図である。
【図５】図３の要素のＡＮＤ論理ゲートの第２の例の回路図である。
【図６】図３の発光ダイオード要素の第１の動作モードを示すタイミング図である。
【図７】図１のバックライト・デバイスの基本ブロック・アレイの順次点灯を示すタイミング図である。
【図８】図４または図５の論理ゲートの入力信号および出力信号を示すタイミング図である。
【図９】図３の発光ダイオード要素の第２の動作モードを示すタイミング図である。
【図１０】図２のブロックの発光ダイオード要素の第２の例の回路図である。
【図１１】図１０の発光ダイオード要素の動作モードを示すタイミング図である。
【発明を実施するための形態】
【００１８】
本発明によれば、要素アレイの各ダイオード要素は、発光ダイオード以外に、ダイオードに給電するための降圧型電圧変換器、より具体的には第１の動作位相中にエネルギーを蓄積して、それを第２の動作位相中にダイオード中へ放出するための降圧型電圧変換器を備える。
【００１９】
図１は、本発明によるディスプレイ用バックライト・デバイスを示す。これは、
複数の基本ブロック２０にグループ化された、複数の発光ダイオード要素からなるセット１０であって、前記基本ブロックはｎ個の行とｍ個の列からなるアレイの形に構成され、各基本ブロックは少なくとも１つの発光ダイオード要素を含み、これら要素自体は基本ブロック内でアレイの形に構成され、この実施形態では、これは必須ではないが、複数のブロックはサイズが同じであり、これらの要素それぞれから放出される光は時間変調され、したがってこの複数の要素はＰＷＭモード（パルス幅変調）で制御される、複数の発光ダイオード要素からなるセット１０と、
セット１０の複数の基本ブロックからなる行を順次選択する行選択回路１１であって、セット１０では、ｎ個の、複数の基本ブロックからなる行を含み、選択回路１１はｎ個の出力端を含み、各出力端は、セット１０の、複数のブロックからなる１つの行を選択するように設計され、この後の説明では、Ｓｉは、アレイ１０のブロックの行ｉを選択することを目的とする出力端を示す、行選択回路１１と、
セット１０の、複数のブロックからなる各列に、その列と選択回路１１によって選択された行とが交差するポイントに位置する基本ブロックの要素を点灯させる制御信号を用いて、給電するための制御回路１２であって、制御回路１２はｍ個の出力端を含み、各出力端はセット１０の複数の基本ブロックに接続され、この後の説明では、Ｃｊは、セット１０の列ｊに接続された出力端を示す、制御回路１２とを備える。
【００２０】
図２は、ｎ’×ｍ’個の発光ダイオード要素３０からなるアレイを備える基本ブロック２０の詳細図を示す。前記基本ブロックは、セット１０の行ｉおよび列ｊに属する。したがって、ブロック２０の要素３０のそれぞれは、選択回路１１の出力端Ｓｉ、および制御回路１２の出力端Ｃｊに接続されている。
【００２１】
図３は、発光ダイオード要素３０の第１の例の回路図を示す。これは発光ダイオード、すなわちＬＥＤ  ３１、およびこのＬＥＤに給電する降圧型電圧変換器を備える。このコンバータは、トランジスタ型のスイッチ３３と直列に取り付けられたダイオード３２を、電源電圧Ｖａを受け取る電源端子（電源端子として知られる）と電圧Ｖｓｓを受け取る端子の間に備える。後者の端子は、例えばグランドに接続される。トランジスタ３３は、ＡＮＤ論理ゲート３５の出力端Ｓから供給される制御電圧によって制御され、前記ゲートは、選択回路１１の出力端Ｓｉから来る電圧信号を第１の入力端Ｅ１で受け取り、制御回路１２の出力端Ｃｊから来る電圧信号を第２の入力端Ｅ２で受け取る。ダイオード３２は、電源端子に向かって移動する電流を通すように配置される。ダイオード３２とトランジスタ３３の間にあるポイントは、誘導性要素３４を介してＬＥＤ  ３１のカソードに接続される。ＬＥＤ  ３１のアノードは電源端子に接続される。この後の説明では、Ｌは誘導性要素３４のインダクタンスを示し、ＶLEDはＬＥＤ  ３１の端子間の電圧を示し、ＶLおよびＩLは、それぞれ誘導性要素３４の端子間の電圧、および誘導性要素３４に向かって移動する電流を示す。ＶDはダイオード３２の端子間の電圧を示し、ＶTおよびＩTは、それぞれスイッチ３３の端子間の電圧、およびスイッチ３３中を循環する電流を示し、ＶCTRLは、ゲート３５の出力端に存在するスイッチ３３の制御電圧を示す。
【００２２】
論理ゲート３５の第１の回路図の例が図４に示されている。このゲートは、ダイオード３６および抵抗要素３７を備える。ダイオード３６は、ゲートの入力端Ｅ２と出力端Ｓの間に接続される。ダイオード３６は、入力端Ｅ２に向かって移動する電流を通すように配置される。抵抗要素３７は、出力端Ｓと入力端Ｅ１の間に接続される。
【００２３】
論理ゲート３５の第２の回路図の例が図５に示されている。このゲートは、ＰＭＯＳ型のトランジスタ３９と直列にＮＭＯＳ型のトランジスタ３８を備える「プッシュプル」アセンブリである。両トランジスタの共通出力端（ソース）は、論理ゲート３５の出力端Ｓを構成する。入力端Ｅ２は、２つのトランジスタのゲートに接続され、入力端Ｅ１はトランジスタ３８のドレインに接続される。最後に、トランジスタ３９のドレインはＶｓｓ電圧を受け取る。
【００２４】
この発光ダイオード要素の第１の動作モードを図６のタイミング図で説明する。この動作モードでは、誘導性要素は、動作期間ごとに完全に放電される。図の６（ａ）、６（ｂ）、６（ｃ）、６（ｄ）および６（ｅ）は、それぞれ制御電圧ＶCTRLの時間Ｔの期間中の電流ＩL、電圧ＶL、電流ＩT、電圧ＶTおよび電圧ＶCTRLの変化を示す。
【００２５】
タイミング図で制御電圧ＶCTRLは、時間０とｔaの間では高レベルにあり、時間ｔaとＴの間では低レベル（ゼロ）にあるとみなしている。したがってスイッチ３３は、時間０とｔaの間で閉じられ（電圧ＶTはゼロ）、時間ｔaとＴの間で開く（電圧ＶT＝Ｖa＋ＶD）。したがって、誘導性要素３４の端子の電圧ＶLは、時間０とｔaの間ではＶa−ＶLEDに等しい。電流ＩLは要素３４を流れ、前記電流は、時間ｔaで
【００２６】
【数１】
2010504621.tif 000003
【００２７】
に等しい最大値Ｉmaxに達するまで直線的に増大する。したがって、スイッチ３３を流れる電流ＩTは、誘導性要素３４を流れる電流ＩLに等しい。スイッチ３３が開いているとき（時間ｔaとＴの間）、誘導性要素３４の端子間に加わる電圧ＶLは、前記誘導性要素が完全に放電されるまで−ＶLED−ＶDに等しい。この放電動作は、時間ｔbで終了する。こうして要素３４の放電電流は、時間ｔbでゼロの値に達するまで減少する。誘導性要素３４が完全に放電したとき、その端子間の電圧ＶLは、誘導性要素３４と要素３２、３３および３４の干渉キャパシタとの間の共振による数回の振動の後ゼロになる。同じ動作周期が再び時間Ｔの終わりから開始する。
【００２８】
ここで図１のセット１０の全体動作を考察すると、図７のタイミング図に示されるように、基本ブロックの行が順次選択される。この図で、セット１０は、複数の基本ブロックからなる１０個の行を含むとみなしている。したがって選択回路１１は、１０個の出力端Ｓ１からＳ１０を備える。したがって、デバイスの動作期間Ｔは、１０個の等時間（Ｔ／１０）のサブ期間に分割され、１つのサブ期間が出力端Ｓ１からＳ１０のそれぞれに割り当てられる。
【００２９】
図８は、セット１０の、出力端Ｓ１およびＣ１に接続されたブロックに加えられる信号ＶCTRLと、これらの出力端に加えられるこれらの信号とを示す。時間Ｔ１＝Ｔ／１０のパルスが、図７にすでに示したように、出力端Ｓ１に供給される。この時間は固定されており、このブロックに加えることができる最大時間に対応する。Ｔ１より小さいか等しい可変時間Ｔ２のパルスが出力端Ｃ１に加えられる。その結果、このブロックに加えられる電圧ＶCTRLは、時間Ｔ２のパルス（出力端Ｃ１に加えられるものと同じ）になる。時間Ｔ２は、考察されているブロックに必要な光照射（lighting）のレベルを規定し、ゼロでない最小時間（non-null time）と最大時間Ｔ１の間の時間になる。動作周波数１／Ｔは、連続アドレッシングが人の耳に聞こえないように、２０ｋＨｚ（すなわちＴ＝５０μｓ）より高いことが好ましい。アレイ１０内のブロックの行の数ｎに応じて（この数は一般に既定される）、最大時間Ｔ１は、ＴからＴ１＝Ｔ／ｎまでと関連付けられる。最後に、光照射（lighting）が画像表示と同期するように、ビデオ・フレームの期間は、バックライト・デバイスの（時間Ｔの）動作期間の倍数であることが好ましい。
【００３０】
誘導性要素３４のインダクタンス値Ｌは、ボーダライン・ケースのｔa＝Ｔ１で規定され、次式に等しくなる。
【００３１】
【数２】
2010504621.tif 000004
【００３２】
誘導性要素３４の完全な放電が期間Ｔの終わり、すなわちｔb＝Ｔで終了する特定の一実施形態を提示することが可能である。安定状態において、誘導性要素の端子間での平均値が一次近似ではゼロに等しくなることを想起されたい。この場合、ＬＥＤに伝達される電力は次式に等しくなることに留意されたい。
【００３３】
【数３】
2010504621.tif 000005
【００３４】
図３に示された発光ダイオード要素の第２の実施形態を図９のタイミング図により説明する。この動作モードでは、誘導性要素は、動作周期の終わりで完全に放電されていない。図の９（ａ）、９（ｂ）、９（ｃ）、９（ｄ）および９（ｅ）は、それぞれ制御電圧ＶCTRLの時間Ｔの期間中の電流ＩL、電圧ＶL、電流ＩT、電圧ＶTおよび電圧ＶCTRLの変化を示す。
【００３５】
これらのタイミング図は、図６のものと比較されなければならない。図９（ａ）に示されたように、誘導性要素３４は、スイッチ３３が閉じているときに（ＶT＝０）充電し、それが開いているときに（電圧ＶT＝Ｖa＋ＶD）ＬＥＤ  ３１中に放電する。周期の終わり（時間Ｔ）で、誘導性要素３４中の電流はゼロではない。この実施形態では、スイッチ３３の導通時間を増加させずにＬＥＤ  ３１に伝達される電力を増大させることができる。
【００３６】
図１０は、発光ダイオード素子３０の第２の例の回路図を示す。図３で示した第の１例は、セット１０のＬＥＤのアノードが（電圧Ｖaを受け取る行に）共通に接続された電気アセンブリである。この第２の実施形態は、セット１０のＬＥＤのカソードが共通に接続される変形形態である。このアセンブリは図３と同じ構成要素を備えるが、それらの一部の配置が異なっている。図３と比べて配置が変わらないままである構成要素は、図３と同じ数字の参照符号を保持している。
【００３７】
このアセンブリは、発光ダイオードすなわちＬＥＤ  ３１’と、このＬＥＤに給電するための降圧型電圧変換器とを備える。このコンバータは、トランジスタ型のスイッチ３３と直列に取り付けられた誘導性要素３４’を、電源電圧Ｖａを受け取る電源端子（電源端子として知られる）と電圧Ｖｓｓを受け取る端子の間に備える。後者の端子は、例えばグランドに接続される。トランジスタ３３は、ＡＮＤ論理ゲート３５から供給される制御電圧によって制御され、前記ゲートは、１つの入力端で選択回路１１の出力端Ｓｉから来る電圧信号、および制御回路１２の出力端Ｃｊから来る電圧信号を受け取る。誘導性要素３４’とトランジスタ３３の間にあるポイントは、ダイオード３２’を介してＬＥＤ３１’に接続される。ダイオード３２’は、ＬＥＤ  ３１’に向かって移動する電流を通すように配置される。ＬＥＤ  ３１’のカソードは電源端子に接続される。
【００３８】
このアセンブリは、全体的には図３のアセンブリと同様に動作する。すなわち誘導性要素３４’は、スイッチ３３が閉じているときに充電し、それが開いているときに放電する。しかし、その構成要素の端子での電流および電圧は少し異なる。図１１に、誘導性要素３４’が完全に放電する動作モードが示されている。図の１１（ａ）、１１（ｂ）、１１（ｃ）、１１（ｄ）および１１（ｅ）は、それぞれ制御電圧ＶCTRLの時間Ｔの期間中の電流ＩL、電圧ＶL、電流ＩT、電圧ＶTおよび電圧ＶCTRLの変化を示す。
【００３９】
タイミング図で制御電圧ＶCTRLは、時間０とｔaの間では高レベルにあり、時間ｔaとＴの間では低レベル（ゼロ）にあるとみなしている。したがってスイッチ３３は、時間０とｔaの間で閉じられ（電圧ＶTゼロ）、時間ｔaとＴの間で開く（電圧ＶT＝Ｖa＋ＶD＋ＶLED）。したがって、誘導性要素３４の端子の電圧ＶLは、時間０とｔaの間ではＶaに等しい。電流ＩLは要素３４’を流れ、前記電流は、時間ｔaで
【００４０】
【数４】
2010504621.tif 000006
【００４１】
に等しい最大値Ｉmaxに達するまで直線的に増大する。したがって、スイッチ３３を流れる電流ＩTは、誘導性要素３４’を流れる電流ＩLに等しい。スイッチ３３が開いているとき（時間ｔaとＴの間）、誘導性要素３４’の端子に加えられる電圧ＶLは、この後者が完全に放電されるまで−ＶLED−ＶDに等しい。放電動作は時間ｔbで終了する。こうして要素３４’の放電電流は、時間ｔbでゼロの値に達するまで減少する。同じ動作周期が再び時間Ｔの終わりから開始する。
【００４２】
もちろん本発明は、上述の実施形態に限定されない。
【００４３】
特に、当業者であれば、ブロックが（行（rows）ではなく）列（columns）で選択されるセット１０を実施することができるであろう。最大時間のパルスが、選択すべき列のブロックに伝達され、可変時間のパルスが、この時間を調整すべきブロックの行に伝達される。さらに、各ブロックはそれぞれ異なるサイズを有することができる。
【図１】
2010504621.tif 000007
【図２】
2010504621.tif 000008
【図３】
2010504621.tif 000009
【図４】
2010504621.tif 000010
【図５】
2010504621.tif 000011
【図６】
2010504621.tif 000012
【図７】
2010504621.tif 000013
【図８】
2010504621.tif 000014
【図９】
2010504621.tif 000015
【図１０】
2010504621.tif 000016
【図１１】
2010504621.tif 000017
【国際調査報告】
2010504621.tif 000018
2010504621.tif 000019
2010504621.tif 000020